(57)【要約】【課題】迅速に放熱し、低コストで製造が簡単な照明組立体用のジャンパコネクタの提供。【解決手段】照明部品（２２）を互いに接続するジャンパコネクタ（２４）は、２個以上の照明部品に係合するよう構成された嵌合面（６６）を有するコネクタ本体（６０）を具備する。コネクタ本体は、固定具（７８）により基板（２８）に固定されるよう構成されている。ジャンパコネクタは、コネクタ本体により保持される導体を具備する。導体は、コネクタ本体が基板に固定されるのと同じ製造工程で、２個以上の照明部品に電気接続されるよう構成されている。【選択図】図１
2010182674.tif 000002
【特許請求の範囲】
【請求項１】
照明部品を互いに接続するジャンパコネクタであって、
２個以上の前記照明部品に係合するよう構成された嵌合面を有し、固定具により基板に固定されるよう構成されているコネクタ本体と、
該コネクタ本体により保持される導体と
を具備し、
前記導体は、前記コネクタ本体が前記基板に固定されるのと同じ製造工程で、前記２個以上の照明部品に電気接続されるよう構成されていることを特徴とするジャンパコネクタ。
【請求項２】
前記導体は、前記コネクタ本体が前記基板に固定される際に、前記照明部品上のコンタクトパッドに係合するよう構成されていることを特徴とする請求項１記載のジャンパコネクタ。
【請求項３】
前記導体は、該導体を介して前記照明部品間に電力が流れるように、前記照明部品間に電力回路を形成することを特徴とする請求項１記載のジャンパコネクタ。
【請求項４】
前記基板はヒートシンクを構成し、
前記固定具は、前記照明部品が前記ヒートシンクと熱伝導するように、前記コネクタ本体及び前記ヒートシンクと係合し、前記照明部品を同時に前記ヒートシンクに固定することを特徴とする請求項１記載のジャンパコネクタ。
【請求項５】
前記固定具は、隣接する前記照明部品間を通過するよう構成され、
前記固定具は、前記コネクタ本体を前記基板に固定するよう前記コネクタ本体に係合することを特徴とする請求項１記載のジャンパコネクタ。
【請求項６】
前記導体は、前記固定具が前記コネクタ本体を前記基板に固定する際に、少なくとも部分的に撓むことを特徴とする請求項１項記載のジャンパコネクタ。
【請求項７】
前記固定具は、前記基板に螺合するねじ付き固定具であり、
前記固定具が締め付けられると、前記照明部品は、前記コネクタ本体によって前記基板に向って押し付けられることを特徴とする請求項１記載のジャンパコネクタ。
【発明の詳細な説明】
【技術分野】
【０００１】
本発明は、照明組立体に関し、特に照明組立体用のジャンパコネクタに関する。
【背景技術】
【０００２】
発光ダイオード（ＬＥＤ）は現在、多様な照明用途で広く適用されている。（ワット当たりの光束強度の観点での）ＬＥＤの比較的高い有効性が、ＬＥＤが流行する主原因である。従来の蛍光灯と置換するためにＬＥＤが使用されると、省電力が可能になる。問題があるとされているＬＥＤ技術の一面は、廃熱の除去と効率的な管理である。廃熱は、性能を劣化させ、デバイスの寿命を短くしてしまう。廃熱を除去するために、ヒートシンク又は他の放熱デバイスを利用することが代表的である。
【先行技術文献】
【特許文献】
【０００３】
【特許文献１】米国特許第７４６２０３６号明細書
【特許文献２】米国特許第７３６４３４６号明細書
【特許文献３】米国特許第７３１１４２０号明細書
【特許文献４】米国特許第７２７３９８７号明細書
【特許文献５】米国特許第７１６５８６３号明細書
【特許文献６】米国特許第７０２１９４６号明細書
【特許文献７】米国特許第６８８２１１１号明細書
【特許文献８】米国特許第６８０２６２６号明細書
【特許文献９】米国特許第６６４１２８４号明細書
【特許文献１０】米国特許出願公開第２００８／１２８７３９号明細書
【発明の概要】
【発明が解決しようとする課題】
【０００４】
今日使用されるＬＥＤを用いた照明部品の一例は、シチズン電子株式会社が市販する照明部品、ＣＬ−Ｌ１０２シリーズである。このような照明部品は、照明を制御するために蛍光材料により取り囲まれ、１個以上のＬＥＤが実装された細長の回路基板を具備する。このような照明部品は、一般的な照明目的のために使用される。回路基板は、ＬＥＤが生ずる熱を散逸させるためにヒートシンクに実装されるのが代表的である。回路基板をヒートシンクに保持するために、ねじが使用される。用途によっては、複数の照明部品が使用され、照明帯として連続して配列される。ここで、回路基板は、ヒートシンク又は他の基板に沿って整列し、ねじによりヒートシンク又は他の基板に固定される。回路基板は、隣接する回路基板間に半田付けされた電線により、互いに電気接続される。電力は、電線により一基板から次の基板に供給される。電線は、回路基板が基板に固定された後に半田付けされるのが代表的である。基板に照明部品を個別に固定する工程、及び照明部品帯を電線に電気接続する工程からなる複数の組立工程は、時間がかかる。
【０００５】
別のやり方は、照明部品が実装される熱伝導性基板を設けることである。これらの基板は、機械的支持の機能を有すると共に部品への電気的相互接続及び部品間の電気的相互接続のために設けられ、照明部品が発生する熱の抽出及び散逸を補助する。これらの基板は、高コストであり、又は複雑な複数の製造工程を要することが多い。
【０００６】
従って、解決すべき課題は、迅速に放熱し、低コストで製造が簡単な照明組立体用の相互接続構造を提供することである。
【課題を解決するための手段】
【０００７】
課題を解決する手段は、照明部品を互いに接続するジャンパコネクタにより提供される。このジャンパコネクタは、２個以上の照明部品に係合するよう構成された嵌合面を有するコネクタ本体を具備する。このコネクタ本体は、固定具により基板に固定されるよう構成されている。また、ジャンパコネクタは、コネクタ本体により保持される導体を具備する。この導体は、コネクタ本体が基板に固定されるのと同じ製造工程で、２個以上の照明部品に電気接続されるよう構成されている。
【図面の簡単な説明】
【０００８】
【図１】ジャンパコネクタにより相互接続された複数の照明部品を有する照明組立体を示す斜視図である。
【図２】図１に示されたジャンパコネクタを下側から見た斜視図である。
【図３】図１に示されたジャンパコネクタの断面を示す斜視図である。
【図４】図１に示された照明組立体用の別のジャンパコネクタの断面を示す斜視図である。
【図５】図１に示された照明組立体用の別のジャンパコネクタを下側から見た斜視図である。
【図６】図５に示されたジャンパコネクタを用いた別の照明組立体の斜視図である。
【図７】図１に示された照明組立体用のさらに別のジャンパコネクタを上側から見た斜視図である。
【図８】図７に示されたジャンパコネクタを有する照明組立体の一部を示す側面図である。
【図９】図７に示されたジャンパコネクタと共に使用するために導体を示す斜視図である。
【図１０】図７に示されたジャンパコネクタを示す底面図である。
【図１１】別のジャンパコネクタを有する照明組立体の一部を示す側面図である。
【図１２】図１１に示されたジャンパコネクタと共に使用するために導体を示す斜視図である。
【図１３】図１に示された照明組立体用の別のジャンパコネクタを示す分解斜視図である。
【発明を実施するための形態】
【０００９】
以下、添付図面を参照して本発明を例示により説明する。
【００１０】
本発明の一実施形態において、ジャンパコネクタは、照明部品を互いに接続するために提供される。このジャンパコネクタは、２個以上の照明部品に係合するよう構成された嵌合面を有するコネクタ本体を具備する。このコネクタ本体は、固定具により基板に固定されるよう構成されている。また、ジャンパコネクタは、コネクタ本体により保持される導体を具備する。この導体は、コネクタ本体が基板に固定される同一の製造工程の間、２個以上の照明部品に電気接続されるよう構成されている。
【００１１】
任意であるが、導体は、コネクタ本体が基板に固定される際に照明部品上のコンタクトパッドに係合してもよい。導体は、導体を介して照明部品間に電力が流れるよう構成されるように、照明部品間に電力回路を形成してもよい。基板はヒートシンクを構成してもよい。固定具は、照明部品がヒートシンクと熱伝導するように、コネクタ本体及びヒートシンクと係合し、照明部品を同時にヒートシンクに固定してもよい。固定具は、隣接する照明部品間を通過し、コネクタ本体を基板に固定するようコネクタ本体に係合してもよい。固定具が締め付けられると、照明部品は、コネクタ本体によって基板に向って押し付けられてもよい。
【００１２】
別の実施形態において、照明組立体は、第１及び第２の照明部品を具備して提供される。第１及び第２の照明部品は各々、両端部間を縦軸に沿って延びる回路基板、１個以上の端部に設けられたコンタクトパッド、及び回路基板に接続されると共に回路基板により少なくとも１個のコンタクトパッドに電気接続された照明デバイスを具備する。ジャンパコネクタは第１及び第２の照明部品間で結合される。ジャンパコネクタは、第１照明部品の一方の端部に係合する第１嵌合インタフェースと、第２照明部品の一方の端部に係合する第２嵌合インタフェースとを有する。ジャンパコネクタは、第１及び第２の嵌合インタフェース間に延びる導体を有する。この導体は、第１照明部品及び第２照明部品の双方の導電パッドに係合し、第１照明部品及び第２照明部品の導電パッド間に電気回路を形成する。ジャンパコネクタ並びに第１及び第２の照明部品は、共通基板に固定されるよう構成されている。
【００１３】
別の一実施形態において、ジャンパコネクタは、照明部品を互いに接続するために提供される。ここで、各照明部品は、照明デバイスが実装されると共にコンタクトパッドが表面に形成された回路基板を有する。ジャンパコネクタは、両端間に延びるコネクタ本体を有する。このコネクタ本体は、２個以上の照明部品に係合するよう構成された嵌合面を有する。また、ジャンパコネクタは、コネクタ本体により保持された導体を有する。ここで、導体は、２個以上の照明部品のコンタクトパッド間に電力を伝送する電力経路を形成するように、２個以上の照明部品のコンタクトパッドに電気接続されるよう構成されている。固定具は、コネクタ本体に係合すると共に、固定具が基板に係合する際にコネクタ本体を基板に固定するよう構成されている。コネクタ本体は、固定具が基板に係合する際に２個以上の照明部品を基板に同時に固定するよう構成されている。
【００１４】
図１は、ジャンパコネクタ２４により相互接続された複数の照明部品２２を有する照明組立体２０を示す。照明部品２２は、照明帯を形成するために部品軸２６に沿って一列に配列されている。照明帯を形成するためには、任意の数の照明部品２２を使用してもよい。照明部品２２は、ジャンパコネクタ２４により連続して接続される。そして、ジャンパコネクタ２４は、以下に詳細に説明するように、隣接する照明部品２２間に電力を伝送する電気回路の一部を形成する。
【００１５】
照明部品２２は基板２８に固定される。典型的な一実施形態において、ジャンパコネクタ２４は、照明部品２２を基板２８に固定するために使用される。図示の実施形態において、基板２８はヒートシンクを構成し、以下ではヒートシンク２８と称することがある。ヒートシンク２８は、作動中において、照明部品２２が発生する熱を散逸させる。
【００１６】
典型的な一実施形態において、照明部品２２は互いにほぼ同形に形成されている。各照明部品２２は、部品軸２６に沿って縦方向に延びる回路基板３０を有する。回路基板３０は、互いに対向する第１端３２及び第２端３４間に延びる。回路基板３０は、基板２８とほぼ対面する内面３６と、基板２８から離れる方向を向く外面３８とを有する。内面３６及び外面３８はほぼ平坦であり、第１端３２及び第２端３４間を部品軸２６に沿って延長される。回路基板３０は、第１端３２及び第２端３４間に延びると共に内面３６及び外面３８間に延びる、対向した第１側面４０及び第２側面４２を有する。
【００１７】
典型的な一実施形態において、回路基板３０は、各端３２，３４に開口４４を有する。各照明部品２２は、回路基板３０の開口４４が互いに整列して共通開口を形成するように、隣接する照明部品２２と端同士が対向して配列される。共通開口は細長の非円形形状を有してもよい。
【００１８】
回路基板３０は、第１端３２に第１嵌合端部４６を、第２端３４に第２嵌合端部４８を、これらの嵌合端部４６，４８間に照明デバイス実装部５０を有する。各嵌合端部４６，４８には、１個以上のコンタクトパッド５２を設けてもよい。コンタクトパッド５２は、回路基板３０の外面３８に沿って露出する。以下に詳細に説明するように、コンタクトパッド５２は、ジャンパコネクタ２４が照明部品２２に接続されると、ジャンパコネクタ２４との電気接続部を提供する。図示の実施形態において、２個の導電パッド５２が各嵌合端部４６，４８に設けられている。
【００１９】
１個以上の照明デバイス５４が回路基板３０に電気接続されている。照明デバイス５４は、電力がジャンパコネクタ２４により回路基板３０に印加される際に作動する。任意であるが、回路基板３０は、照明デバイス５４に供給される電力を制御するためのコントローラ、トランジスタ、マイクロプロセッサ、コンデンサ、抵抗等の１個以上の電気部品を有してもよい。典型的な一実施形態において、各照明デバイス５４は１個以上の発光ダイオード（ＬＥＤ）５６を有する。任意であるが、ＬＥＤ５６は、照明を制御するために蛍光材料５８又は他の材料により取り囲まれてもよい。別の実施形態においては、他のタイプの照明要素を使用してもよい。ＬＥＤ５６は、直接的に又は間接的に回路基板３０に接続されてもよい。ＬＥＤ５６は、回路基板３０のパターン又は他の導体により、１個以上のコンタクトパッド５２に電気接続されてもよい。ＬＥＤ５６と回路基板３０に接続された他の電気部品との一方又は双方が発生する熱は、照明部品２２がヒートシンク２８に実装されると、ヒートシンク２８により散逸されてもよい。
【００２０】
ジャンパコネクタ２４は、隣接する照明部品２２の対を基板２８に機械的に固定すると共に、隣接する照明部品２２の対を互いに電気的に相互接続する。１個の照明部品２２から他の照明部品２２に電力を伝送するために、電力回路がジャンパコネクタ２４によって形成される。組立の間、ジャンパコネクタ２４は照明部品２２と電気接続することができるのに対し、同時に又は同じ組立工程の間に、照明部品２２は基板２８に物理的に固定される。
【００２１】
ジャンパコネクタ２４は誘電性のコネクタ本体６０を有する。典型的な一実施形態において、コネクタ本体６０は単一の一体品である。コネクタ本体６０は、対向する第１端６２及び第２端６４間に延びている。コネクタ本体６０は、照明部品２２とほぼ対面する嵌合面６６と、照明部品２２から離れる方向を向く外面６８とを有する。嵌合面６６及び外面６８は、第１端６２及び第２端６４間を縦のコネクタ軸７０に沿って延長される。コネクタ軸７０は、ジャンパコネクタ２４が照明部品２２に結合されると、部品軸２６とほぼ平行になる。コネクタ本体６０は、第１端６２及び第２端６４間に延びると共に嵌合面６６及び外面６８間に延びる、対向した第１側面７２及び第２側面７４を有する。コネクタ本体６０は、コネクタ本体６０を貫通する開口７６を有する。この開口７６は、端６２，６４及び側面７２，７４間のほぼ中央にあってもよい。
【００２２】
ジャンパコネクタ２４を基板２８に固定するために、固定具７８が使用される。典型的な一実施形態において、固定具７８は、基板２８のねじ孔８０に受容されるねじ等のねじ付き固定具により代表される。このように、固定具７８は基板２８に螺合する。しかし、別の実施形態において、ジャンパコネクタ２４を基板２８に固定するために、異なるタイプの固定具を使用してもよい。
【００２３】
組立の間、ジャンパコネクタ２４は、隣接する１対の照明部品２２の係合端部４６，４８にジャンパコネクタ２４が係合するように、隣接する１対の照明部品２２の上面に載置される。固定具７８は、ジャンパコネクタ２４を基板２８に固定するために、ジャンパコネクタ２４に対して配置される。固定具７８は、ジャンパコネクタ２４が基板２８に固定される固定位置まで移動する。図示の実施形態において、固定具７８は、ジャンパコネクタ２４が基板２８にしっかりと結合される固定位置まで回転すなわち締め付けされる。ジャンパコネクタ２４が基板２８にしっかりと結合されると、照明部品２２は、ジャンパコネクタ２４により基板２８に同様に固定される。例えば、ジャンパコネクタ２４は、その嵌合面６６及び基板２８の嵌合面８２間に、照明部品２２を挟むか又は他の方法で保持してもよい。典型的な一実施形態において、照明部品２２の各端３２，３４は、異なるジャンパコネクタ２４によって保持される。ジャンパコネクタ２４は、照明部品２２を基板２８から自由にするためにジャンパコネクタ２４が除去できるように、照明部品２２に解放可能に結合されている。ジャンパコネクタ２４は、ジャンパコネクタ２４及び照明部品２２の双方が逆の関係になることができるように、照明部品２２から解放されてもよい。ジャンパコネクタ２４は、固定具７８を除去する単一工程で、照明部品２２から解放されてもよい。
【００２４】
図２は、ジャンパコネクタ２４を下側から見た斜視図であり、嵌合面６６を示している。ジャンパコネクタ２４は、コネクタ本体６０により保持される少なくとも１個の導体８４を有する。図示の実施形態において、導体８４は、コネクタ本体６０の部分により区画された可撓性の梁８８（図３参照）を形成するめっき材料８６により形成される。これらの梁８８（例えば、めっき材料８６の下の構造）は、梁８８の固定端９２及び自由端９４の間にビーム長９０を有する。梁８８は可撓性を有し、照明部品２２（図１参照）と嵌合する際などに撓むことができる。図示の実施形態において、コネクタ本体６０の対応する側面７２，７４付近に延びる２個の導体部分が、図示されている。これら導体部分は、コネクタ本体６０の中央領域でめっき材料８６により相互接続されている。別の実施形態において、導体部分は互いに分離され、２個の分離した導体８４を形成してもよい。任意の数の導体が、ジャンパコネクタ２４により区画され、ジャンパコネクタ２４により保持されてもよい。
【００２５】
導体８４は、コネクタ本体６０の第１端６２におけるジャンパコネクタ２４の第１嵌合インタフェース９６と、コネクタ本体６０の第２端６４におけるジャンパコネクタ２４の第２嵌合インタフェース９８との間を延びている。典型的な一実施形態において、導体８４は、第１嵌合インタフェース９６及び第２嵌合インタフェース９８の間に、単一の連続した導電性要素を区画する。典型的な一実施形態において、導体８４は、嵌合インタフェース９６，９８にボタン１００を有する。これらボタン１００は、それらの隣接する部分から外方へ突出する。ボタン１００はめっき材料８６でコーティングされると共に、照明部品２２のコンタクトパッド５２（図１参照）に係合する導体８４の一部を区画する。ボタン１００は、コンタクトパッド５２との適切な電気接続を確保するために、嵌合面６６を超えて突出する。
【００２６】
ジャンパコネクタ２４は、そのジャンパコネクタ２４から延びる１個以上の実装タブ１０２を有する。これらの実装タブ１０２は、実装面６６から外方へ延びる。実装タブ１０２は、コネクタ本体６０を貫通する開口７６の一部を取り囲む。組立の間、ジャンパコネクタ２４が照明部品２２に対して配置されると、実装タブ１０２は、照明部品２２の開口４４（図１参照）内に嵌まる。実装タブ１０２は、導体８４をコンタクトパッド５２に整列させる等、照明部品２２に対してジャンパコネクタ２４を適正に配置する寸法及び形状に形成してもよい。
【００２７】
ジャンパコネクタ２４は、コネクタ本体６０の両側に嵌合面６６から延びるスダンドオフ１０４を有する。これらのスタンドオフ１０４は、照明部品２２の対応する両側面４０，４２に係合する肩１０６を有する。これらの肩１０６は、照明部品２２の両側面４０，４２に係合するように、照明部品２２の幅とほぼ等しい距離１０８で分離してもよい。スタンドオフ１０４は、照明部品２２に対してジャンパコネクタ２４を方向付けすなわち位置決めをするために使用される。
【００２８】
図３は、図２に示される３−３線に沿ったジャンパコネクタ２４の断面を示す。この断面はボタン１００を通っている。図３は、誘電性材料から製造され且つコネクタ本体６０の一部として形成された梁８８を示す。ボタン１００は、同一の製造工程の間、梁８８と一体に形成される。ボタン１００は、めっき材料８６により覆われる湾曲した外面を定める。
【００２９】
めっき材料８６は、第１及び第２の嵌合インタフェース９６，９８（図２参照）間の導電性経路を区画するために梁８８の選択された部分を覆う。図示の実施形態において、めっき材料８６は、梁８８の嵌合面６６、梁８８の外面６８、及び梁８８の両側壁１１０を覆う。両側壁１１０は、嵌合面６６及び外面６８間を延びる。梁８８は、全体がめっき材料８６でコーティングされている。別の実施形態において、梁８８の選択された部分のみが、めっき材料８６でコーティングされてもよい。梁８８の外面６８及び両側壁１１０をコーティングすることにより、梁８８の外面６８及び両側壁１１０がコーティングされていない実施形態と比較して、梁８８の剛性を強化することができる。梁８８を強化することにより、梁８８は、照明部品２２（図１参照）との組立の間、撓みに対して抗するより大きなばね力を有する。梁８８は、照明部品２２との嵌合時に十分な係合力を提供することができる。
【００３０】
図４は、図３に示されたジャンパコネクタ２４の同様の部分を通って断面された照明組立体２０（図１参照）用の別のジャンパコネクタ１２０の断面を示す。ジャンパコネクタ１２０はジャンパコネクタ２４（図３参照）同様であり、同様の部品及び構造を有する。ジャンパコネクタ１２０及びジャンパコネクタ２４間の少なくとも一つの相違点は、ジャンパコネクタ１２０がその梁１２６の嵌合面１２４にのみめっき材料１２２を有することである。梁１２６の両側壁１２８及び外面１３０は、めっき材料１２２で覆われていない。さらに、梁１２６は、ジャンパコネクタ２４の梁８８（図３参照）よりも厚い。梁１２６の厚さは、より薄い梁と比較して梁１２６の剛性を強化する。嵌合面１２４のみをめっきするので、必要なめっき材料１２２は少なくて済む。
【００３１】
図５は、照明組立体２０（図１参照）用の別のジャンパコネクタ１４０を下から見た斜視図である。ジャンパコネクタ１４０は、コネクタ本体１４２及び導体１４４を有する。コネクタ本体１４２は嵌合面１４６を有し、導体１４４は嵌合面１４６に設けられている。
【００３２】
導体１４４は、嵌合面１４６の選択された部分をめっきするめっき材料１４８により代表される。典型的な一実施形態において、ボタン１５０は、導体１４４及びコネクタ本体１４２の一方又は双方により形成される。ボタン１５０は、嵌合面１４６から外方へ延びる。ボタン１５０は球面形状であるが、別の実施形態では他の形状であってもよい。
【００３３】
コネクタ本体１４２は、コネクタ本体１４２を貫通する開口１５２を有する。実装タブ１５４が開口１５２近傍に設けられている。これらの実装タブ１５４は、嵌合面１４６から外方へ延びる。
【００３４】
図６は、ジャンパコネクタ１４０を使用する別の照明組立体１６０を示す。照明組立体１６０は、２列１６２以上に配列された複数の照明部品２２を有する。照明部品２２の列１６２は、複数の互いに平行な照明帯を形成する。図６には各列に２個の照明部品２２のみが示されているけれども、各列１６２に任意の数の照明部品２２を配列してもよい。図６には３列１６２のみが示されているけれども、任意の数の列１６２の照明部品２２を設けてもよい。
【００３５】
ジャンパコネクタ１４０は、各列１６２の隣接する照明部品２２間に設けられている。これらのジャンパコネクタ１４０は、隣接する照明部品２２間に電力を伝送する電力経路を形成する。固定具１６４は、ジャンパコネクタ１４０及び照明部品２２を１枚以上の基板（図示せず）に固定するためにジャンパコネクタ１４０に係合する。照明部品２２及び対応するジャンパコネクタ１４０の各列１６２は、別の基板に実装されてもよい。或いは、２列以上の照明部品２２及び対応するジャンパコネクタ１４０は、同一の基板に実装されてもよい。基板の寸法及び列１６２間の間隔は、基板実装構造に影響を与える。
【００３６】
ジャンパコネクタ１４０は、ジャンパコネクタ１４０間に延びると共にジャンパコネクタ１４０を互いに接続する架橋部１６６により相互接続される。これら架橋部１６６は、製造工程の間、２個以上のジャンパコネクタ１４０のコネクタ本体１４２と一体に形成されてもよい。或いは、架橋部１６６は、組立工程の間、１個以上のジャンパコネクタ１４０に別々に接続されてもよい。架橋部１６６が複数のジャンパコネクタ１４０に一旦接続されると、ジャンパコネクタ１４０は単一のユニットとして取り扱うことができる。架橋部１６６は、所定間隔１６８でジャンパコネクタ１４０を離間させる。任意であるが、間隔１６８は、各ジャンパコネクタ１４０間で、従って照明部品２２の各列１６２間で、同一であってもよい。或いは、ジャンパコネクタ１４０間の、従って照明部品２２の列１６２間の感覚１６８を変更するために、ジャンパコネクタ１４０間に異なる長さの架橋部１６６を使用してもよい。
【００３７】
図示の実施形態において、ジャンパコネクタ１４０は、照明部品２２の幅１７２より小さな幅１７０を有する。このように、ジャンパコネクタ１４０は、照明部品２２のフォームファクタに影響を与えない。
【００３８】
ジャンパコネクタ１４０のコネクタ本体１４２は、少なくとも部分的に可撓性を有してもよい。固定具１６４が基板に固定され、嵌合面１４６が照明部品２２に係合すると、ボタン１５０（図５参照）は、照明部品２２のコンタクトパッド５２（図１参照）に係合する。コネクタ本体１４２は、固定具１６４が締め付けられると若干曲がってもよい。固定具１６４が固定位置に締め付けられると、ジャンパコネクタ１４０は、両照明部品２２と電気接触すると同時に両照明部品２２を基板に固定する。電気接続及び機械固定は、固定具１６４を固定位置に締め付ける同一の製造工程の間に遂行される。
【００３９】
図７は、照明組立体２０用のさらに別のジャンパコネクタ２００を上から見た斜視図である。図７には、照明組立体２０の一部が示される。ジャンパコネクタ２００は、２個の隣接する照明部品２２を互いに電気接続するために使用される。ジャンパコネクタ２００は、両照明部品２２を基板２８（図１参照）に固定するために使用される。
【００４０】
ジャンパコネクタ２００は、コネクタ本体２０２及び導体２０４（図７には破線で図示される）を有する。コネクタ本体２０２は、互いに対向する第１端２０６及び第２端２０８間に延びる。コネクタ本体２０２は、照明部品２２とほぼ対面する嵌合面２１０と、照明部品２２から離れる方向を向く外面２１２とを有する。コネクタ本体２０２は、第１端２０６及び第２端２０８間に延びると共に嵌合面２１０及び外面２１２間に延びる、互いに対向する第１側面２１４及び第２側面２１６を有する。コネクタ本体２０２は、コネクタ本体２０２を貫通する開口２１８を有する。開口２１８は、第１端２０６、第２端２０８、第１側面２１４及び第２側面２１６間のほぼ中心に位置してもよい。固定具７８（図１参照）等の固定具は、ジャンパコネクタ２００を基板２８に固定するために使用される。固定具７８は、ジャンパコネクタ２００を基板２８に固定するために、開口２１８内に受容されると共に外面２１２に係合する。
【００４１】
導体２０４は、コネクタ本体２０２により保持されると共に、コンタクトパッド５２（破線で図示）に係合するために嵌合面２１０で露出する。導体２０４は、隣接する２個の照明部品２２を互いに電気接続するために、第１端２０６及び第２端２０８間に延びる。
【００４２】
図８は、ジャンパコネクタ２００が互いに隣接する照明部品２２を相互接続従った状態の、照明組立体２０の一部を示す側面図である。互いに隣接する照明部品２２の両端３２，３４は互いに当接し、ジャンパコネクタ２００は照明部品２２の両端３２，３４上のほぼ中央に位置する。ジャンパコネクタ２００が固定具７８により照明部品２２に実装されると、嵌合面２１０は、照明部品２２の外面３８と面一になると共に外面３８上に載置される。
【００４３】
図８には、照明デバイス５４の中心２２２から放射される光円錐２２０が示されている。光円錐２２０は、ジャンパコネクタ２００の方へ垂直方向から計って図８図示の半角照射２２３を有する。照明デバイス５４の中心２２２は、照明部品２２の端３２から所定距離２２４に位置する。コネクタ本体２０２は、ジャンパコネクタ２００が光円錐２２０を妨害しないように選択された高さ２２６を有するので、照明デバイス５４が発する光を阻止することはない。この高さ２２６は、コネクタ本体２０２上の固定具７８の追加高さ２３２に加えて、コネクタ本体２０２及び固定具７８間の任意のワッシャ２３０の追加高さを考慮して選択される。距離２２４及び半角照射２２３は、コネクタ本体２０２の高さ２２６に影響を与える。
【００４４】
図９は、ジャンパコネクタ２００と共に使用するための１個の導体２０４を示す斜視図である。導体２０４は、基部２４０と、基部２４０から下方へ延びる対向する２本のアーム２４２，２４４とを有する。典型的な一実施形態において、アーム２４２，２４４は、可撓性を有すると共に、矢印Ａの向きに下方へのばね力を与えるばねアームを画定する。アーム２４２，２４４は、導体２０４の第１嵌合インタフェース２４６及び第２嵌合インタフェース２４８をそれぞれ画定する。典型的な一実施形態において、アーム２４２，２４４は、それらアーム２４２，２４４の末端付近に嵌合インタフェース２４６，２４８を画定するために、アーム２４２，２４４の末端に近接して湾曲する。
【００４５】
第１嵌合インタフェース２４６は、１個の照明部品２２（図７参照）のコンタクトパッド５２に電気係合するよう構成されている。第２嵌合インタフェース２４８は、別の照明部品２２のコンタクトパッド５２に電気係合するよう構成されている。このように、導体２０４は、異なる２個の照明部品２２間に電気経路を形成する。第１嵌合インタフェース２４６及び第２嵌合インタフェース２４８は、基部２４０の下から所定距離２５０の位置にある。アーム２４２，２４４は、照明部品との嵌合の間、基部２４０により画定される平面に向って上方へ撓んでもよい。
【００４６】
典型的な一実施形態において、導体２０４は、条材から打ち抜かれた後、導体２０４の部分を最終形状に曲げられることにより曲げ加工される。
【００４７】
図１０は、コネクタ本体２０２内に保持された２個の導体２０４を示すジャンパコネクタ２００の底面図である。２個の導体２０４が図示されているのに対し、任意の数の導体を使用してもよいことを理解されたい。さらに、導体２０４は互いに分離しているのに対し、導体２０４を互いに係合させ、又は導体２０４間が他の導電性部材によりつながれていてもよいことを理解されたい。
【００４８】
コネクタ本体２０２は、その中に形成された通路２６０を有する。導体２０４は、嵌合インタフェース２４６，２４８が嵌合面２１０近傍に設けられるように、通路２６０内に保持される。典型的な一実施形態において、導体２０４は、嵌合インタフェース２４６，２４８が照明部品２２（図７参照）のコンタクトパッド５２（図７参照）に係合するために嵌合面２１０の下面の下に露出するように、通路２６０から若干突出する。
【００４９】
図１１は、照明組立体２０用の別のジャンパコネクタ３００の部分を示す側面図である。照明組立体２０の一部が図１１に示される。ジャンパコネクタ３００は、隣接する２個の照明部品２２を互いに電気接続するために使用される。ジャンパコネクタ３００は、両照明部品２２を基板２８（図１参照）に固定するために使用される。
【００５０】
ジャンパコネクタ３００は、コネクタ本体３０２と、１個以上の導体３０４（図１１に破線で図示）とを有する。コネクタ本体３０２は、対向する第１端３０６及び第２端３０８間に延びている。コネクタ本体３０２は、照明部品２２とほぼ対面する嵌合面３１０と、照明部品２２から離れる方向を向く外面３１２とを有する。固定具７８（図１参照）等の固定具が、ジャンパコネクタ３００を基板２８に固定するために使用される。固定具７８は、ジャンパコネクタ３００を基板２８に固定するために外面３１２に係合する。
【００５１】
導体３０４は、コネクタ本体３０２に形成された専用通路（図示せず）内に保持される。通路は嵌合面３１０で開放されており、導体３０４は、組立工程の間、嵌合面３１０を通って通路内に挿入される。保持リブ３１４（図１１に破線で図示）が、通路内に導体３０４を保持するために、通路内に部分的に延びると共に導体３０４に係合する。導体３０４は、嵌合面３１０で露出してコンタクトパッド５２（破線で図示）に係合するように、コネクタ本体３０２内に保持される。導体３０４は、隣接する２個の照明部品２２を互いに電気接続するよう第１端３０６及び第２端３０８間に延びる。
【００５２】
図１２は、ジャンパコネクタ３００（図１１参照）と共に使用するための複数の導体３０４のうちの１個を示す斜視図である。導体３０４は、基部３４０と、基部３４０から下方へ延びる対向した２本のアーム３４２，３４４とを有する。典型的な一実施形態において、アーム３４２，３４４は、可撓性を有すると共に、矢印Ｂの向きに下方へのばね力を与えるばねアームを画定する。アーム３４２，３４４は、導体３０４の第１嵌合インタフェース３４６及び第２嵌合インタフェース３４８をそれぞれ画定する。典型的な一実施形態において、第１嵌合インタフェース３４６及び第２嵌合インタフェース３４８は、アーム３４２，３４４の末端に設けられる。第１嵌合インタフェース３４６は、１個の照明部品２２（図１１参照）のコンタクトパッド５２（図１１参照）に電気接続するよう構成されている。第２嵌合インタフェース３４８は、別の照明部品２２のコンタクトパッド５２に電気接続するよう構成されている。このように、導体３０４は、異なる２個の照明部品２２間に電気経路を形成する。
【００５３】
典型的な一実施形態において、導体３０４は打ち抜き工程により製造される。導体３０４の形状は、条材の材料から打ち抜き加工される。打ち抜かれた形状とは異なる形状に導体３０４を形成する曲げ工程は不要である。
【００５４】
図１３は、照明組立体（図１参照）用の別のジャンパコネクタ４００を示す分解斜視図である。ジャンパコネクタ４００は、隣接する２個の照明部品２２を互いに電気接続するために使用される。ジャンパコネクタ４００は、両照明部品２２を基板２８（図１参照）に固定するために使用される。
【００５５】
ジャンパコネクタ４００は、コネクタ本体４０２と、１個以上の導体４０４（図１１に破線で図示）とを有する。コネクタ本体４０２は、対向する第１端４０６及び第２端４０８間に延びている。コネクタ本体４０２は、照明部品２２とほぼ対面する嵌合面４１０と、照明部品２２から離れる方向を向く外面４１２とを有する。固定具７８（図１参照）等の固定具が、ジャンパコネクタ４００を基板２８に固定するために使用される。
【００５６】
導体４０４は、コネクタ本体４０２に形成された専用通路４１４内に保持される。通路４１４は嵌合面４１０で開放されており、導体４０４は、組立工程の間、嵌合面４１０を通って通路４１４内に挿入される。保持リブ４１６が、通路４１４内に導体４０４を保持するために、通路４１４内に部分的に延び、導体４０４から延びる指部４１８に係合する。導体４０４は、嵌合面４１０で露出してコンタクトパッド５２（図１参照）に係合するように、コネクタ本体４０２内に保持される。導体４０４は、隣接する２個の照明部品２２を互いに電気接続するよう第１端４０６及び第２端４０８間に延びる。
【００５７】
導体４０４は、基部４４０と、基部４４０から下方へ延びる対向した２本のアーム４４２，４４４とを有する。典型的な一実施形態において、アーム４４２，４４４は、可撓性を有すると共に、下方へのばね力を与えるばねアームを画定する。アーム４４２，４４４は、導体４０４の第１嵌合インタフェース４４６及び第２嵌合インタフェース４４８をそれぞれ画定する。典型的な一実施形態において、第１嵌合インタフェース４４６及び第２嵌合インタフェース４４８は、アーム４４２，４４４の末端に近接して、又はアーム４４２，４４４の末端に設けられる。第１嵌合インタフェース４４６は、１個の照明部品２２のコンタクトパッド５２に電気接続するよう構成されている。第２嵌合インタフェース４４８は、別の照明部品２２のコンタクトパッド５２に電気接続するよう構成されている。このように、導体４０４は、異なる２個の照明部品２２間に電気経路を形成する。
【符号の説明】
【００５８】
２２  照明部品
２４  ジャンパコネクタ
２８  基板
５２  コンタクトパッド
６０  コネクタ本体
６６  嵌合面
７８  固定具
８４  導体
【図１】
2010182674.tif 000003
【図２】
2010182674.tif 000004
【図３】
2010182674.tif 000005
【図４】
2010182674.tif 000006
【図５】
2010182674.tif 000007
【図６】
2010182674.tif 000008
【図７】
2010182674.tif 000009
【図８】
2010182674.tif 000010
【図９】
2010182674.tif 000011
【図１０】
2010182674.tif 000012
【図１１】
2010182674.tif 000013
【図１２】
2010182674.tif 000014
【図１３】
2010182674.tif 000015